(57)【要約】 【課題】  接着剤を溶解なしで確実に前組立できる固定装置を提供する。【解決手段】 固定部材（１）に、外表面（４）の方向へ開放した受容凹み（６）を設け、受容凹み（６）の範囲には、保持機構（８，９；１４；１５，１６，１８；２０，２１）を構成し、溶融接着剤を、押込部材（１１）を固定部材（１）に結合できるよう保持機構（８，９；１４；１５，１６，１８；２０，２１）に適合された構造を有する押込部材（１１）として構成する。【選択図】  図１
2008504496.tif 000002
【特許請求の範囲】
【請求項１】
外表面を有する固定部分を備える固定部材と、支持部材に固定部材を固定するため溶融性であり且つ固定部材の外表面および支持部材に面結合できる溶融接着剤とを有する固定装置において、
固定部材（１）が、外表面（４）の方向へ開放した受容凹み（６）を有し、
受容凹み（６）の範囲には、保持機構（８，９；１４；１５，１６，１８；２０，２１）が構成されており、
溶融接着剤が、押込部材（１１）を固定部材（１）に結合できるよう保持機構（８，９；１４；１５，１６，１８；２０，２１）に適合された構造を有する押込部材（１１）として構成されていること
を特徴とする固定装置。
【請求項２】
保持機構が、該受容凹み（６）の側部内壁（８）の少なくとも部分であることを特徴とする請求項１の固定装置。
【請求項３】
該側部内壁（８）が、保持機構の範囲に、内方へ突出し押込部材（１１）に係合する一群のリブ（９）を有することを特徴とする請求項２の固定装置。
【請求項４】
保持機構が、押込部材（１１）と該受容凹み（６）の少なくとも１つの内面（７，８）との間に設けた接着剤（１４）を有することを特徴とする請求項１−３の１つに記載の固定装置。
【請求項５】
保持機構が、該受容凹み（６）の底部内壁（７）に形成された一群の保持トング（２０）を有することを特徴とする請求項１の固定装置。
【請求項６】
該保持トング（２０）が、それぞれ、係止ノーズ（２１）を有し、押込部材（１１）が、該係止ノーズ（２１）と補完関係の対応構造（２３）を有し、該係止ノーズ（２１）および該対応構造（２３）が、相互に係合されることを特徴とする請求項５の固定装置。
【請求項７】
該保持機構が、該受容凹み（６）内を軸線方向へ摺動自在な保持ピン（１５）を有し、押込部材（１１）が、該保持ピン（１５）を導入できるピン開口（１８）を有するよう構成されていることを特徴とする請求項５の固定装置。
【発明の詳細な説明】
【技術分野】
【０００１】
本発明は、請求項１の上位概念（前置部）に記載の固定装置に関する。即ち、外表面を有する固定部分を備える固定部材と、支持部材に固定部材を固定するため溶融性であり且つ固定部材の外表面および支持部材に面結合できる溶融接着剤とを有する固定装置に関する。
【背景技術】
【０００２】
この種の固定装置は、ＤＥ１９６４５０００Ａ１から公知である。この公知の固定装置は、平坦な外表面を有する固定部分を使用する固定部材を有する。更に、固定装置は、比較的低い温度において溶融した後に接着層として平坦な外表面に接着し、かくして前組立てされた固定装置を支持部材に固定するため比較的高い温度において溶融される溶融接着剤を有するよう構成されている。
【発明の開示】
【発明が解決しようとする課題】
【０００３】
この公知の固定装置によって、構造部材を支持部材に確実に結合できるが、ともかく、溶融接着剤の溶融時に条件が正確に順守されない場合には、即ち、溶融温度が過度に低い場合には、溶融接着剤が、平坦な外表面に不十分にのみ接着し、場合によっては、固定装置の運搬時にバラバラな状態で剥離するか、溶融温度が過度に高い場合には、溶融接着剤が、既に賦活され、固定装置と支持部材との間の接着結合の作成のための結合時に、不十分な強度が達成されるに過ぎないと云うある危険性が生ずる。
【０００４】
本発明の課題は、極めて簡単且つ確実に供給できる冒頭に述べた種類の固定装置を提供することにある。
【課題を解決するための手段】
【０００５】
この課題は、冒頭に述べた種類の固定装置において、請求項１の特徴記載部分に開示の特徴によって解決される。即ち、本発明の固定装置は、固定部材が、外表面の方向へ開放した受容凹みを有し、受容凹みの範囲には、保持機構が構成されており、溶融接着剤が、押込部材を固定部材に結合できるよう保持機構に適合された構造を有する押込部材として構成されていることを特徴とする。
【０００６】
本発明に係る固定装置の場合、溶融接着剤を押込部材として構成し、固定装置の前組立のため、熱を加えることなく保持機構を介して固定部材に結合できることによって、固定装置を極めて簡単且つ確実に前組立てすることができる。
【０００７】
本発明の他の合目的的な構成は、従属請求項の対象である。
【発明を実施するための最良の形態】
【０００８】
添付の図面を参照した本発明の好ましい実施例の以下の説明から、他の合目的的な構成および利点が知られよう。
【０００９】
図１に、長いシャフト部分２と、円形周面を有しシャフト部分２と一体に形成された偏平な、固定部分としての結合ディスク３（Bundteller−皿状体）とを有する固定部材１を有する本発明に係る固定装置の第１実施例を斜視断面図として示した。シャフト部分２は、長く構成されており、構造部材（図１には示してない）の固定に役立ち、（固定機能を有し）他方、結合ディスク３は、シャフト部分２の反対側の、この実施例の場合には平坦な、外表面４を有し、この表面の縁には、表面４から突出するスペーサ５が設けてある。
【００１０】
結合ディスク３のほぼ中心には、平坦な外表面４の方向へ開放した受容凹み６が設けてある。受容凹み６は、平坦な底部内壁７と、円環状の側部内壁８とを有し、上記側部内壁には、保持機構として、半径方向内方へ突出する一群の周縁リブ９が構成されている。平坦な外表面４に接する受容凹み６の周縁は、半径内方へ傾斜した円錐面１０として構成されている。
【００１１】
更に、図１の第１実施例は、本質的に円筒形の押込部材１１の形態に構成され且つ端縁に外方へ傾斜した円錐面１２を構成した溶融接着剤を備えている。
【００１２】
図２に、押込部材１１を受容凹み６に差込んだ前組立状態の第１実施例を斜視図として示した。円錐面１０，１２の共働調心作用によって受容凹み６に押込部材１１を差込んだ際、周縁リブ９は、押込部材１１に係合（嵌入）し、かくして、押込部材１１は、固定部材１に機械的に結合される。この場合、押込部材１１は、平坦な外表面４から突出する。この場合、突出容積は、結合ディスク３の周縁とスペーサ５の上面との間に展開された容積よりも僅かに小さいよう調整されている。この前組立状態において、固定装置は、単一品として問題なく運搬できる。
【００１３】
図３に、溶融接着剤の可塑化および活性化に十分な比較的高い温度で押込部材１１を溶融した後に、例えばガラス板として構成された支持部材１３に固定した状態の第１実施例を斜視断面図として示した。図３から明らかな如く、溶融接着剤の溶融、活性化、引続く硬化後、支持部材１３に固定部材１を載せた後に、前組立状態において平坦な外表面４から突出する押込部材１１の容積は、受容凹み６の周縁から結合ディスク３の外縁まで広がり、この場合、平坦な外表面とは反対側のスペーサ５の最も隆起した部分が、支持部材１３に当接する。かくして、固定装置は、平坦な接着結合によって支持部材１３に不動に結合される。
【００１４】
図４に、本発明に係る固定装置の第２実施例を斜視断面図として示した。この場合、図１−図３の第１実施例および図４の第２実施例において、対応する部材は、同一の符号で示し、以下で、詳細には説明しない。図４の第２実施例の場合、側部内壁８は、平滑に構成されている。この場合、受容凹み６の内径は、押込部材１１の外径よりも僅かに大きい。第２実施例の場合、室温で硬化する接着剤からなり底部内壁７に被覆された接着点（ないし接着部、Klebepunkt）１４が、保持機構として設けてある。押込部材１１を固定部材１に結合する場合、接着点（部）１４がなお接着可能な状態において、押込部材１１を受容凹み６に差込み、押込部材１１が、かくして行われた前組立に続く操作時に、受容凹み６内に保持されるよう、固定部材１と押込部材１１との間の接着結合が十分に強固になるまで、放置する。
【００１５】
図５に、本発明に係る固定装置の第３実施例を斜視断面図として示した。この場合、図１−図３の第１実施例、図４の第２実施例および図５の第３実施例において、対応する部材は、同一の符号で示し、以下で、詳細には説明しない。図５の第３実施例は、保持機構として保持ピン１５を使用する。この場合、図５に示した如く、中実部分を有するピン端部を受容凹み６に差込み、次いで、脱落しないよう、側部内壁８との力（摩擦的）結合にもとづき確保（圧嵌保持）する。保持ピン１５の中実部分とは反対側の端部には、２つの弾性脚１６が構成されており、上記弾性脚の間には、弾性的差込嵌合のため、中間スペース１７が保持されている。
【００１６】
図５の第３実施例の場合、押込部材１１には、端面側の上面の間に延びるピン開口１８が構成されており、この場合、弾性脚１６の導入を容易化するため、上面へ向く周縁には、それぞれ、内方へ傾斜した円錐面１９が構成されている。図５の実施例の場合、前組立状態において、押込部材１１は、保持ピン１５にはめ込まれ（圧嵌され）、平坦な外表面４に当接状態に保持される。
【００１７】
図５に示した実施例の固定装置を支持部材（図５には示してない）に結合するため、支持部材および固定装置は、押込部材１１の溶融時に、結合され、この場合、保持ピン１５は、平坦な外表面４から突出する弾性脚１６の端面がスペーサ５の最大隆起範囲の平面内に位置するよう受容凹み６内に軸線方向へ下降される。
【００１８】
図６に、本発明に係る固定装置の第４実施例を斜視断面図として示した。この場合、図１−図３の第１実施例、図４の第２実施例、図５の第３実施例および図６の第４実施例において、対応する部材は、同一の符号で示し、以下で、詳細には説明しない。図６の第４実施例の場合、保持機構は、軸線方向へ延び、側部内壁８から半径方向へ離して環状に配設され底部内壁７に一端を（固着）形成した保持トング２０を使用する。保持トング２０は、底部内壁７とは反対側の端部に、それぞれ、内方へ向く円錐面２２を内面に構成し半径方向内方へ配列した（複数の）係止ノーズ２１を有する。
【００１９】
図６の実施例の場合、押込部材１１の軸線方向端部範囲に、係止ノーズ２１に適合した半径方向寸法を有する大きい環状フランジ（帯部）２３が構成されている。固定装置の前組立のため、図６に示した第４実施例の場合、係止ノーズ２１が、係止ノーズ２１の補完（相補）対応構造を形成する環状フランジ２３に係合し、かくして、押込部材１１を固定部材１に結合するまで、押込部材１１の環状フランジ２３を受容凹み６に差込む。
【図面の簡単な説明】
【００２０】
【図１】固定部材および押込部材を有する本発明に係る固定装置の第１実施例の、保持機構として一群の周縁リブを有する受容凹みに差込む前の状態の斜視断面図である。
【図２】受容凹みに押込部材を差込んだ前組立状態の第１実施例の斜視断面図である。
【図３】押込部材の溶融後に支持部材に固定した状態の第１実施例の斜視断面図である。
【図４】固定部材および押込部材を有する本発明に係る固定装置の第２実施例の、保持機構として一群の周縁リブを有する受容凹みに押込部材を差込む前の状態の斜視断面図である。
【図５】押込部材に加工したピン開口に導入できる、保持機構の保持ピンを固定部材の受容凹みに差込んだ状態の第３実施例の斜視断面図である。
【図６】固定部材を有し、固定部材の受容凹みに押込部材を差込み、環状フランジと係合する保持トングを有する保持機構によってこの状態に保持した本発明に係る固定装置の第４実施例の斜視断面図である。
【符号の説明】
【００２１】
１    固定部材
２    シャフト部分
３    結合ディスク
４    外表面
５    スペーサ
６    受容凹み
７    底部内壁
８，９；１４；１５，１６，１８；２０，２１    保持機構
１０，１２，１９，２２    円錐面
１１    押込部材
１３    支持部材
１７    中間スペース
２３    環状フランジ（帯部）
【図１】
2008504496.tif 000003
【図２】
2008504496.tif 000004
【図３】
2008504496.tif 000005
【図４】
2008504496.tif 000006
【図５】
2008504496.tif 000007
【図６】
2008504496.tif 000008
【手続補正書】
【提出日】平成18年4月13日(2006.4.13)
【手続補正１】
【補正対象書類名】特許請求の範囲
【補正対象項目名】全文
【補正方法】変更
【補正の内容】
【特許請求の範囲】
【請求項１】
外表面を有する固定部分を備える固定部材と、支持部材に固定部材を固定するため溶融性であり且つ固定部材の平坦な外表面および支持部材に面結合できる溶融接着剤とを有する固定装置であって、
固定部材が、平坦な外表面の方向へ開放した受容凹みを有し、
かつ溶解接着剤が該受容凹みに差込可能な押込部材として構成されている固定装置において、
該受容凹み（６）の範囲には、保持機構（８，９；１５，１６，１８；２０，２１）が構成されており、
押込部材の形状が、押込部材（１１）が固定部材（１）と部分的な力結合により又は保持機構（８，９；１５，１６，１８；２０，２１）の形状的嵌合により押込部材（１１）と結合可能なよう、該保持機構に適合されていること、
を特徴とする固定装置。
【請求項２】
保持機構が、該受容凹み（６）の側部内壁（８）の少なくとも部分であることを特徴とする請求項１の固定装置。
【請求項３】
該側部内壁（８）が、保持機構の範囲に、内方へ突出し押込部材（１１）に係合する一群のリブ（９）を有することを特徴とする請求項２の固定装置。
【請求項４】
保持機構が、該受容凹み（６）の底部内壁（７）に形成された一群の保持トング（２０）を有することを特徴とする請求項１の固定装置。
【請求項５】
保持トング（２０）が、それぞれ、係止ノーズ（２１）を有し、押込部材（１１）が、該係止ノーズ（２１）と補完関係の対応構造（２３）を有し、該係止ノーズ（２１）および該対応構造（２３）が、相互に係合されることを特徴とする請求項４の固定装置。
【請求項６】
保持機構が、該受容凹み（６）内を軸線方向へ摺動自在な保持ピン（１５）を有し、押込部材（１１）が、保持ピン（１５）を導入できるピン開口（１８）を有するよう構成されていることを特徴とする請求項１の固定装置。
【手続補正書】
【提出日】平成19年4月11日(2007.4.11)
【手続補正１】
【補正対象書類名】特許請求の範囲
【補正対象項目名】全文
【補正方法】変更
【補正の内容】
【特許請求の範囲】
【請求項１】
外表面を有する固定部分を備える固定部材と、支持部材に固定部材を固定するため溶融性であり且つ固定部材の平坦な外表面および支持部材に面結合できる溶融接着剤とを有する固定装置であって、
固定部材が、平坦な外表面の方向へ開放した受容凹みを有し、
かつ溶融接着剤が該受容凹みに差込可能な押込部材として構成されている固定装置において、
該受容凹み（６）の範囲には、保持機構（８，９；１５，１６，１８；２０，２１）が構成されており、
押込部材の形状が、保持機構と押込部材（１１）の間の部分的な力結合により又は形状的嵌合により押込部材（１１）が固定部材（１）と結合可能なよう、該保持機構に適合されていること、
を特徴とする固定装置。
【請求項２】
保持機構が、該受容凹み（６）の側部内壁（８）の少なくとも部分であることを特徴とする請求項１の固定装置。
【請求項３】
該側部内壁（８）が、保持機構の範囲に、内方へ突出し押込部材（１１）に係合する一群のリブ（９）を有することを特徴とする請求項２の固定装置。
【請求項４】
保持機構が、該受容凹み（６）の底部内壁（７）に形成された一群の保持トング（２０）を有することを特徴とする請求項１の固定装置。
【請求項５】
保持トング（２０）が、それぞれ、係止ノーズ（２１）を有し、押込部材（１１）が、該係止ノーズ（２１）と補完関係の対応構造（２３）を有し、該係止ノーズ（２１）および該対応構造（２３）が、相互に係合されることを特徴とする請求項４の固定装置。
【請求項６】
保持機構が、該受容凹み（６）内を軸線方向へ摺動自在な保持ピン（１５）を有し、押込部材（１１）が、保持ピン（１５）を導入できるピン開口（１８）を有するよう構成されていることを特徴とする請求項１の固定装置。
【手続補正２】
【補正対象書類名】明細書
【補正対象項目名】０００５
【補正方法】変更
【補正の内容】
【０００５】
この課題は、冒頭に述べた種類の固定装置において、請求項１の特徴記載部分に開示の特徴によって解決される。即ち、本発明の固定装置は、固定部材が、平坦な外表面の方向へ開放した受容凹みを有し、かつ溶融接着剤が該受容凹みに差込可能な押込部材として構成されている固定装置において、該受容凹みの範囲には、保持機構が構成されており、押込部材の形状が、保持機構と押込部材の間の部分的な力結合により又は形状的嵌合により押込部材が固定部材と結合可能なよう、該保持機構に適合されていることを特徴とする。
【手続補正３】
【補正対象書類名】明細書
【補正対象項目名】０００７
【補正方法】変更
【補正の内容】
【０００７】
本発明の他の合目的的な構成は、従属請求項の対象である。
即ち、保持機構が、該受容凹みの側部内壁の少なくとも部分であることが好ましい。
該側部内壁が、保持機構の範囲に、内方へ突出し押込部材に係合する一群のリブを有することが好ましい。
保持機構が、該受容凹みの底部内壁に形成された一群の保持トングを有することが好ましい。
保持トングが、それぞれ、係止ノーズを有し、押込部材が、該係止ノーズと補完関係の対応構造を有し、該係止ノーズおよび該対応構造が、相互に係合されることが好ましい。
保持機構が、該受容凹み内を軸線方向へ摺動自在な保持ピンを有し、押込部材が、保持ピンを導入できるピン開口を有するよう構成されていることが好ましい。
なお、特許請求の範囲の各請求項に付した図面参照符号は、専ら理解を助けるためであり、図示の態様に限定することを意図しない。
【国際調査報告】
2008504496.tif 000009
2008504496.tif 000010
2008504496.tif 000011
2008504496.tif 000012